(57)【特許請求の範囲】
【請求項１】
（ａ）カードモジュールを挿入可能なカード用コネクタであって、
（ｂ）前記カードモジュールをカード用コネクタから排出させる排出機構と、
（ｃ）前記カードモジュールの被係止部を係止可能な係止部材とを備え、
（ｄ）該係止部材は、前記被係止部を係止する係止位置と前記被係止部との係止を解除する解除位置との間で、支点部を中心として回動可能であり、
（ｅ）前記排出機構は、前記カードモジュールの挿入及び排出方向にスライド可能な排出操作部材を含み、前記支点部は、前記排出操作部材が備える回動受部に回動可能に取付けられ、
（ｆ）前記係止部材は受圧部材を含み、前記排出機構を作動させる操作補助部材によって前記受圧部材が押されると、前記係止部材が係止位置から解除位置へ回動し、前記排出操作部材がスライドすることを特徴とするカード用コネクタ。
【請求項２】
前記係止部材は、付勢部材によって前記係止位置に向けて付勢されている請求項１に記載のカード用コネクタ。
【請求項３】
前記排出操作部材は金属板から成る部材であり、前記付勢部材は前記排出操作部材と一体的に形成された板ばねである請求項２に記載のカード用コネクタ。
【請求項４】
前記被係止部は、前記カードモジュールの挿入及び排出方向と交差する方向に延在する被係止縁部を含み、前記係止部材が係止位置に位置すると、前記係止部材の先端部が前記被係止縁部と対向する請求項１〜３のいずれか１項に記載のカード用コネクタ。
【請求項５】
前記被係止縁部は前記カードモジュールの挿入及び排出方向に対して傾斜する方向に延在し、前記係止部材の先端部の円弧状の軌跡は前記被係止縁部と交差する請求項４に記載のカード用コネクタ。
【請求項６】
前記被係止縁部が前記カードモジュールの挿入及び排出方向に対して傾斜する角度は、前記解除位置における前記軌跡の前記カードモジュールの挿入及び排出方向に対する角度よりも小さい請求項５に記載のカード用コネクタ。
【請求項７】
前記排出操作部材はリターンスプリングによって前記カードモジュールの排出方向に付勢されている請求項１〜６のいずれか１項に記載のカード用コネクタ。
【発明の詳細な説明】
【技術分野】
【０００１】
本開示は、カード用コネクタに関するものである。
【背景技術】
【０００２】
従来、携帯電話機等の電子機器においては、ＳＩＭカード等の各種カードを利用するために、カード用コネクタを備えている。近年、電子機器の急速な小型化に伴って、カード及びカード用コネクタは、急速に小型化される傾向にある。そのため、ユーザが手指によってカードを把持したり、カード用コネクタに適切に挿入したりすることが困難である。そこで、カードをあらかじめカード用トレイにセットしておき、該カード用トレイを挿入するカード用コネクタが提案されている（例えば、特許文献１参照。）。
【０００３】
図１０は従来のカード用コネクタを示す図である。
【０００４】
図において、８１１は、絶縁性の樹脂材料から成るカード用コネクタのハウジングであり、８６１は金属板から成るシェルであり、前記ハウジング８１１の上方を覆うようにして、ハウジング８１１に取付けられる。また、９６１は、カード用トレイであり、カード９０１が内部に装填されている。そして、前記カード用トレイ９６１は、カード９０１が内部に装填された状態で、前記ハウジング８１１とシェル８６１との間に形成された空間に、挿入口８１８から奥に挿入されて収容される。なお、前記カード９０１は、下面に図示されない電極パッドを備え、該電極パッドはカード用トレイ９６１の下面に露出している。
【０００５】
また、前記シェル８６１には、片持ち梁状のロック部８７５が形成されていて、カード用トレイ９６１がカード用コネクタの空間に収容された状態で、前記カード用トレイ９６１に形成された切欠部９６８と係合する。これにより、前記カード用トレイ９６１がカード用コネクタの空間から離脱することが防止される。
【０００６】
さらに、前記ハウジング８１１は、図示されないプッシュロッドとイジェクトレバーとを備える。そして、前記カード用トレイ９６１をカード用コネクタの空間から取出す際には、ユーザは、ピン、ロッド等の補助部材をカード用トレイ９６１のフランジ部９６３に形成された貫通孔９６３ａに挿入し、前記補助部材の先端でプッシュロッドを奥に向けてスライドさせる。すると、イジェクトレバーが作動して、前記カード用トレイ９６１を奥から手前に向けて変位させる。これにより、シェル８６１とロック部８７５とカード用トレイ９６１の切欠部９６８との係合が解除され、カード用トレイ９６１が挿入口８１８から手前に排出される。
【先行技術文献】
【特許文献】
【０００７】
【特許文献１】実用新案登録第３１８６８０１号公報
【発明の概要】
【発明が解決しようとする課題】
【０００８】
しかしながら、前記従来のカード用コネクタにおいては、カード用トレイ９６１を排出させる際にロック部８７５のばね力に抗してロック部８７５と切欠部９６８との係合を解除させるために、カード用トレイ９６１を手前に向けて変位させるイジェクトレバーを作動させるプッシュロッドにある程度の力を付与してスライドさせる必要がある。そのために、ユーザは、微細な補助部材を使用しているにも関わらず、プッシュロッドをスライドさせるために比較的大きな力を発揮しなくてはならず、カード用トレイ９６１を排出させる操作を困難に感じてしまう。
【０００９】
また、カード用トレイ９６１を挿入させる際にもロック部８７５のばね力に抗してロック部８７５と切欠部９６８とを係合させるために、ある程度の力を付与してカード用トレイ９６１を奥に向けて変位させる必要があるので、操作を困難に感じてしまう。
【００１０】
しかし、カード用トレイ９６１を排出及び挿入させる操作を容易にするためにロック部８７５のばね力を小さくすると、カードを使用中に小さな衝撃のようなわずかな外力がカード用コネクタに加えられただけでも、ロック部８７５と切欠部９６８との係合が解除され、カード用トレイ９６１が不必要に排出されてしまう。
【００１１】
ここでは、前記従来の問題点を解決して、カードモジュールを排出する際に、回動可能な係止部材によるカードモジュールの係止が解除されるようにして、カードモジュールが確実に保持されるとともに、カードモジュールを容易に挿入及び排出することができる信頼性の高いカード用コネクタを提供することを目的とする。
【課題を解決するための手段】
【００１２】
そのために、カード用コネクタにおいては、カードモジュールを挿入可能なカード用コネクタであって、前記カードモジュールをカード用コネクタから排出させる排出機構と、前記カードモジュールの被係止部を係止可能な係止部材とを備え、該係止部材は、前記被係止部を係止する係止位置と前記被係止部との係止を解除する解除位置との間で、支点部を中心として回動可能であり、前記排出機構は、前記カードモジュールの挿入及び排出方向にスライド可能な排出操作部材を含み、前記支点部は、前記排出操作部材が備える回動受部に回動可能に取付けられ、前記係止部材は受圧部材を含み、前記排出機構を作動させる操作補助部材によって前記受圧部材が押されると、前記係止部材が係止位置から解除位置へ回動し、前記排出操作部材がスライドする。
【００１５】
更に他のカード用コネクタにおいては、さらに、前記係止部材は、付勢部材によって前記係止位置に向けて付勢されている。
【００１６】
更に他のカード用コネクタにおいては、さらに、前記排出操作部材は金属板から成る部材であり、前記付勢部材は前記排出操作部材と一体的に形成された板ばねである。
【００１７】
更に他のカード用コネクタにおいては、さらに、前記被係止部は、前記カードモジュールの挿入及び排出方向と交差する方向に延在する被係止縁部を含み、前記係止部材が係止位置に位置すると、前記係止部材の先端部が前記被係止縁部と対向する。
【００１８】
更に他のカード用コネクタにおいては、さらに、前記被係止縁部は前記カードモジュールの挿入及び排出方向に対して傾斜する方向に延在し、前記係止部材の先端部の円弧状の軌跡は前記被係止縁部と交差する。
【００１９】
更に他のカード用コネクタにおいては、さらに、前記被係止縁部が前記カードモジュールの挿入及び排出方向に対して傾斜する角度は、前記解除位置における前記軌跡の前記カードモジュールの挿入及び排出方向に対する角度よりも小さい。
【００２０】
更に他のカード用コネクタにおいては、さらに、前記排出操作部材はリターンスプリングによって前記カードモジュールの排出方向に付勢されている。
【発明の効果】
【００２１】
カード用コネクタは、カードモジュールを排出する際に、回動可能な係止部材によるカードモジュールの係止が解除されるようになっているので、カードモジュールが確実に保持されるとともに、カードモジュールを容易に挿入及び排出することができ、かつ、信頼性の高いカード用コネクタを得ることができる。
【図面の簡単な説明】
【００２２】
【図１】第１の実施の形態におけるカード用コネクタにカード用トレイを挿入した状態を示す斜視図である。
【図２】第１の実施の形態におけるカード用コネクタ及びカード用トレイを示す分解図である。
【図３】第１の実施の形態におけるカード用コネクタからカード用トレイを排出する動作を示す平面図であって、（ａ）〜（ｄ）は各段階を示す図である。
【図４】第１の実施の形態におけるカード用コネクタからカード用トレイを排出する場合の回動ロック部材の動作を説明する第１の図であって、（ａ）は平面図、（ｂ）は（ａ）におけるＡ部拡大図である。
【図５】第１の実施の形態におけるカード用コネクタからカード用トレイを排出する場合の回動ロック部材の動作を説明する第２の図であって、（ａ）は平面図、（ｂ）は（ａ）におけるＡ部拡大図である。
【図６】第２の実施の形態におけるカード用コネクタのカード用トレイを収容した状態を示す平面図である。
【図７】第３の実施の形態におけるカード用コネクタにカード用トレイを挿入した状態を示す図であって、（ａ）は斜視図、（ｂ）は平面図である。
【図８】第３の実施の形態におけるカード用コネクタ及びカード用トレイを示す分解図である。
【図９】第３の実施の形態におけるプッシュロッドの構成を説明する図であって、（ａ）はカード用トレイを挿入したカード用コネクタの側面図、（ｂ）は（ａ）におけるＢ−Ｂ矢視断面図である。
【図１０】従来のカード用コネクタを示す図である。
【発明を実施するための形態】
【００２３】
以下、実施の形態について図面を参照しながら詳細に説明する。
【００２４】
図１は第１の実施の形態におけるカード用コネクタにカード用トレイを挿入した状態を示す斜視図、図２は第１の実施の形態におけるカード用コネクタ及びカード用トレイを示す分解図である。
【００２５】
図において、１０２は本実施の形態におけるカードモジュールであり、図示されない電子機器の基板等に実装されたカード用コネクタ１に挿入される。つまり、カードモジュール１０２は、カード用コネクタ１を介して、電子機器に装着される。なお、該電子機器は、例えば、パーソナルコンピュータ、携帯電話機、スマートフォン、通信モデム、パッド型コンピュータ、デジタルカメラ、ビデオカメラ、音楽プレーヤ、ゲーム機、車両用ナビゲーション装置等であるが、いかなる種類の機器であってもよい。なお、図においては、説明の都合上、カード用コネクタ１のカバー部材としてのシェルが取外された状態が示されている。
【００２６】
前記カードモジュール１０２は、例えば、ＳＩＭカード、マイクロＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード等のメモリカード自体であってもよい。また、例えば、ｍｉｎｉＳＤ（Ｒ）カードを内部に収容したＳＤ（Ｒ）カード型アダプタのように、カード用コネクタ１に挿入するのに適した形状及び寸法を備え、内部にメモリカードを収容したカード用アダプタであってもよい。さらに、カード用コネクタ１に挿入するのに適した形状及び寸法を備え、内部にメモリカードを収容したカード用トレイ１６０であってもよい。要するに、前記カードモジュール１０２は、カード用コネクタ１に挿入可能であって、該カード用コネクタ１を介して、電子機器と導通可能なものであれば、いかなる種類のモジュールであってもよい。
【００２７】
本実施の形態においては、説明の都合上、カードモジュール１０２が、図示されないカードを収容したカード保持部材としてのカード用トレイ１６０である場合について説明する。また、前記カードは、４ＦＦカード、いわゆる、ナノＳＩＭカードであるものとして説明する。なお、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。
【００２８】
なお、本実施の形態において、カード用コネクタ１、カードモジュール１０２及びカード用トレイ１６０の各部の構成及び動作を説明するために使用される上、下、左、右、前、後等の方向を示す表現は、絶対的なものでなく相対的なものであり、カード用コネクタ１、カードモジュール１０２及びカード用トレイ１６０又はそれらの部品が図に示される姿勢である場合に適切であるが、カード用コネクタ１、カードモジュール１０２及びカード用トレイ１６０又はそれらの部品の姿勢が変化した場合には、姿勢の変化に応じて変更して解釈されるべきものである。
【００２９】
前記カード用トレイ１６０は、カードの側面と対向し、該側面を囲繞するような形状の枠部１６１と、該枠部１６１の後端に接続された後端板としてのフランジ板１６３とを含んでいる。該フランジ板１６３には、直線的な棒状部材であってカード用トレイ１６０を排出するための排出機構を作動させる操作補助部材１８１が挿入される孔であってフランジ板１６３を板厚方向に貫通する操作用挿入孔１６３ａが形成されている。前記カード用トレイ１６０は、図２に示されるように、枠部１６１の先端部１６１ｆがカード用トレイ１６０の奥部を向くような姿勢でカード用トレイ１６０に挿入される。なお、前記枠部１６１及びフランジ板１６３は、いかなる材料から成る部材であってもよいが、例えば、インサート成形乃至オーバーモールド成形と称される成形方法によって、金属部材の周囲の少なくとも一部を樹脂で被覆して一体化した部材である。
【００３０】
前記枠部１６１は、カードを収容するカード収容空間としての空間部１６６の四辺を囲繞する略矩形の枠部材であって、幅方向に延在する互いに平行な複数の横枠部１６５と、前後方向に延在し、横枠部１６５の左右両端を連結する左右一対の側枠部１６４とを含んでいる。なお、前記横枠部１６５は、前端に位置する前枠部１６５ａと、後端に位置する後枠部１６５ｃと、前枠部１６５ａと後枠部１６５ｃとの中間に位置する中枠部１６５ｂとを含んでいる。そして、一方（図に示される例において、カード用トレイ１６０の挿入方向右側）の側枠部１６４には、被係止部１６７が形成されている。該被係止部１６７は、図に示される例において、幅方向外側に突出する係止凸部１６７ｃと、該係止凸部１６７ｃにおけるカード用トレイ１６０の挿入方向後側に形成された部分であってカード用トレイ１６０の挿入及び排出方向と交差する方向に延在する被係止縁部としての傾斜縁部１６７ａと、該傾斜縁部１６７ａの後側に形成された幅方向内側に凹入する係止凹部１６７ｂとを含んでいる。なお、前記傾斜縁部１６７ａは、カード用トレイ１６０の挿入及び排出方向に対して傾斜する方向に延在することが望ましい。また、前記係止凸部１６７ｃは、省略することもできる。
【００３１】
本実施の形態におけるカード用トレイ１６０の空間部１６６は、前側に位置する第１空間部１６６ａと後側に位置する第２空間部１６６ｂとに分割されている。そして、第１空間部１６６ａ及び第２空間部１６６ｂの各々にカードを収容することができ、第１空間部１６６ａ及び第２空間部１６６ｂの下面は、カードの電極パッドが露出可能な開口である。なお、第１空間部１６６ａ及び第２空間部１６６ｂには、カードを１枚ずつ収容することができる。また、第１空間部１６６ａ又は第２空間１６６ｂのいずれか一方にのみカードを収容し、他方にはカードを収容しなくてもよい。さらに、例えば、電子機器にカード用コネクタ１以外のカード用コネクタが実装されているような場合には、ユーザがカード用コネクタ１を使用しないこともあり得る。そして、このような場合に、ユーザは、カードを収容していないカード用トレイ１６０、すなわち、空のカード用トレイ１６０をカード用コネクタ１に挿入した状態で保管することができる。
【００３２】
図１に示されるように、前記カード用コネクタ１は、図示されない電子機器が備える外部部材９５に固定される。該外部部材９５は、カード用コネクタ１が取付けられた電子機器の筐体の一部であり、カード用コネクタ１から独立した別個の部材であり、カード用コネクタ１が直接固定されていてもよいし、図示されない位置固定部材を介して、カード用コネクタ１との相対的位置関係が変化しないように固定されていてもよい。前記位置固定部材は、例えば、カード用コネクタ１が実装されている配線基板、カード用コネクタ１が取付けられた電子機器の筐体等である。ここでは、前記外部部材９５が電子機器の筐体の一部であるものとして説明する。また、前記外部部材９５の外面は電子機器の筐体の外面として機能する。なお、図２においては、外部部材９５の図示が省略されている。
【００３３】
該外部部材９５は、板厚方向に貫通するように形成された挿入開口９５ａを備える。該挿入開口９５ａは、カード用トレイ１６０を挿入可能な形状及び寸法を備え、前記カード用トレイ１６０のフランジ板１６３が嵌入可能となっている。該フランジ板１６３の外形形状及び外形寸法は、挿入開口９５ａの形状及び寸法と同様であり、図１に示されるように、フランジ板１６３は挿入開口９５ａに嵌入可能となっている。そして、図１に示されるように、カード用トレイ１６０のカード用コネクタ１への挿入が完了した状態において、フランジ板１６３は、その後面が外部部材９５の外面とほぼ面一となる。
【００３４】
本実施の形態において、カード用コネクタ１は、合成樹脂等の絶縁性材料によって一体的に成形されたハウジング１１と、例えば、導電性の金属から成る板材に打抜き、折曲げ等の加工を施すことによって一体的に成形され、ハウジング１１の上側に取付けられた後述されるカバー部材としてのシェル６１とを有する。該シェル６１は、ハウジング１１及びカード用コネクタ１に挿入されたカード用トレイ１６０の少なくとも一部の上方を覆うようになっている。そして、前記カード用コネクタ１は、概略、扁平な直方体形状を備え、前記電子機器に取付けられ、後方（図１における右下方）の挿入口から、ハウジング１１にカード用トレイ１６０が挿入される。具体的には、ハウジング１１とシェル６１との間に形成されるカード収容空間内にカード用トレイ１６０が挿入される。
【００３５】
前記ハウジング１１は、略矩形の平板状の端子保持部としての底壁部１１ｂと、ハウジング１１におけるカード用トレイ１６０の挿入方向前方の前端部に沿って幅方向に延在し、底壁部１１ｂより肉厚の奥壁部１１ａと、ハウジング１１における左右両側縁に沿って挿入方向に延在し、底壁部１１ｂより肉厚の一対の側壁部１１ｄと、一方（図に示される例において、カード用トレイ１６０の挿入方向右側）の側壁部１１ｄの幅方向外側において挿入方向に延在し、底壁部１１ｂより肉厚の外壁部１１ｅとを含んでいる。前記奥壁部１１ａ、側壁部１１ｄ及び外壁部１１ｅは、その下面が底壁部１１ｂの下面と面一であり、その上面が底壁部１１ｂの上面よりも上方に位置する。なお、ハウジング１１におけるカード用トレイ１６０の挿入方向後方の端部は、後端部１１ｒと称する。
【００３６】
また、底壁部１１ｂは、接続端子としての複数の端子を備えているが、図においては、説明の都合上、端子の図示が省略されている。該端子は、カード用コネクタ１内に保持されたカード用トレイ１６０内のカードの電極パッドの各々に接触するように、配設されている。したがって、端子の数及び配置の形態は、カードの電極パッドの数及び配置の形態に適合するように、適宜変更される。
【００３７】
前記外壁部１１ｅと一方の側壁部１１ｄとの間にはスライド溝部１２が形成され、該スライド溝部１２内には、カード用コネクタ１内に挿入されたカードモジュール１０２としてのカード用トレイ１６０を排出するための排出機構における排出操作部材としてのプッシュロッド２２が前後方向（カード用トレイ１６０の挿入及び排出方向）にスライド可能に取付けられている。
【００３８】
該プッシュロッド２２は、概略直線的な棒状又は帯板状の部材であり、外壁部１１ｅと対向する側面には、該側面から突出するガイド凸部１２ａと係合するガイド凹部２２ｃが形成されている。また、前記プッシュロッド２２の前端部には、イジェクトレバー２１の力点部２１ｂと係合する係合部２２ｂが形成されている。前記イジェクトレバー２１は、奥壁部１１ａの近傍に配設されたレバー状の部材であって排出機構における排出梃子部材として機能する。そのため、イジェクトレバー２１は、その支点部２１ｃにおいて底壁部１１ｂに形成された支軸１１ｃに枢動可能に取付けられている。そして、イジェクトレバー２１における前記支点部２１ｃを挟んで力点部２１ｂと反対側の端部は、カード用コネクタ１内に挿入されたカード用トレイ１６０の枠部１６１の先端部１６１ｆに当接して、カード用トレイ１６０に排出方向の力を付与する作用点部２１ａとして機能する。
【００３９】
また、前記プッシュロッド２２の後端部には、係止部材としての回動ロック部材２５が回動可能に取付けられている。該回動ロック部材２５は、カード用トレイ１６０の被係止部１６７を係止する係止位置と被係止部１６７との係止を解除する解除位置との間で、支点部２５ｃを中心として回動可能である。図に示される例では、前記回動ロック部材２５は、平面視において、基端から先端部２５ａに向うにつれて幅が狭くなるような略三角形状の平板状の部材であり、基端には支点部２５ｃが形成されている。該支点部２５ｃは、プッシュロッド２２の後端部に形成された回動受部２２ｅに回動可能に取付けられる。本実施の形態において、前記支点部２５ｃは、回動ロック部材２５を板厚方向に貫通する貫通孔であり、前記回動受部２２ｅは、プッシュロッド２２から突出する軸であり、前記支点部２５ｃは回動受部２２ｅに回動可能に嵌付けられている。
【００４０】
さらに、前記回動ロック部材２５の基端には、操作補助部材１８１の先端１８１ａによってカード用トレイ１６０の挿入方向に押される力点部としての受圧部材２５ｂが形成されている。図に示される例では、該受圧部材２５ｂは、カード用トレイ１６０の挿入及び排出方向に対して略直交する方向に延在する平板状の部材であって、回動ロック部材２５に一体的に形成されている。なお、平面視において、受圧部材２５ｂにおける操作補助部材１８１の先端１８１ａが当接する位置、すなわち、力点は、前記支点部２５ｃの中心を通過してカード用トレイ１６０の挿入方向に延在する直線よりも、ハウジング１１の幅方向内側に位置する。したがって、前記受圧部材２５ｂが操作補助部材１８１の先端１８１ａによってカード用トレイ１６０の挿入方向に押されると、回動ロック部材２５は、平面視において、支点部２５ｃを中心として時計回り方向に回動し、先端部２５ａは、ハウジング１１の幅方向外側に向けて変位する。
【００４１】
また、前記回動ロック部材２５は、付勢部材２４によって、平面視において、支点部２５ｃを中心として反時計回り方向に回動し、先端部２５ａがハウジング１１の幅方向内側に向けて変位するように、付勢されている。図に示される例では、前記付勢部材２４は、略レ字状に折曲げられた板ばねであり、カード用トレイ１６０の挿入方向に延在する本体部２４ａと、該本体部２４ａに対して折曲げられ、カード用トレイ１６０の挿入方向に対して傾斜する方向に延在するカンチレバー状の作用部２４ｂとを備える。前記本体部２４ａはプッシュロッド２２に固定され、前記作用部２４ｂの先端が回動ロック部材２５のハウジング１１の幅方向外側の側面を押圧することによって、回動ロック部材２５が付勢される。したがって、回動ロック部材２５の先端部２５ａは、カード用コネクタ１に挿入されたカード用トレイ１６０の係止凹部１６７ｂ内に進入し、傾斜縁部１６７ａと対向して、被係止部１６７を係止することが可能となる。
【００４２】
なお、回動ロック部材２５の回動範囲は、回動ロック部材２５のハウジング１１の幅方向内側の側面及び外側の側面とそれぞれ当接可能な内側リミッタ２２ａ及び外側リミッタ２２ｄによって規定される。該内側リミッタ２２ａ及び外側リミッタ２２ｄは、プッシュロッド２２に形成されている。したがって、操作補助部材１８１によって受圧部材２５ｂが押されると、回動ロック部材２５が係止位置から解除位置へ回動し、プッシュロッド２２がスライドする。なお、カード用トレイ１６０が、図１に示されるように、カード用コネクタ１への挿入が完了して枠部１６１がカード用コネクタ１内の所定位置にあるときは、内側リミッタ２２ａが回動ロック部材２５に当接しない。
【００４３】
次に、前記構成のカード用コネクタ１の動作について説明する。まず、カード用トレイ１６０を排出する場合の動作について説明する。
【００４４】
図３は第１の実施の形態におけるカード用コネクタからカード用トレイを排出する動作を示す平面図、図４は第１の実施の形態におけるカード用コネクタからカード用トレイを排出する場合の回動ロック部材の動作を説明する第１の図、図５は第１の実施の形態におけるカード用コネクタからカード用トレイを排出する場合の回動ロック部材の動作を説明する第２の図である。なお、図３において、（ａ）〜（ｄ）は各段階を示す図であり、図４及び５において、（ａ）は平面図、（ｂ）は（ａ）におけるＡ部拡大図である。
【００４５】
ここで、カード用トレイ１６０は、図１に示されるように、カード用コネクタ１への挿入が完了して枠部１６１がカード用コネクタ１内の所定位置にあるものとする。なお、図示の都合上、シェル６１は取外されており、カード用トレイ１６０にはカードが収容されていないものとする。
【００４６】
図３（ａ）に示されるように、前記カード用トレイ１６０のカード用コネクタ１への挿入が完了した状態では、回動ロック部材２５が付勢部材２４によってハウジング１１の幅方向内側に向けて付勢されており、前記回動ロック部材２５は係止位置にあり、その先端部２５ａは、カード用コネクタ１に挿入されたカード用トレイ１６０の係止凹部１６７ｂ内に進入し、傾斜縁部１６７ａと対向して、被係止部１６７を係止している。したがって、例えば、カード用コネクタ１が実装されている電子機器が床上に落下した場合に受ける衝撃のような外力がカード用コネクタ１に加えられたとしても、回動ロック部材２５による被係止部１６７の係止が解除されることがないので、カード用トレイ１６０は、カード用コネクタ１内に収容された状態で確実に保持され、カード用コネクタ１から離脱してしまうことがない。
【００４７】
この状態において、前記先端部２５ａと傾斜縁部１６７ａとは、図４（ｂ）に示されるように、互いに当接していることが望ましい。これにより、カード用トレイ１６０がカード用コネクタ１内で安定的に保持される。図１及び４（ａ）に示されるように、フランジ板１６３が外部部材９５の挿入開口９５ａに嵌入され、カード用トレイ１６０の挿入方向前方に変位不能となっていれば、カード用トレイ１６０がその挿入方向にがたつくことが防止される。また、カード用トレイ１６０における係止凸部１６７ｃと反対側の側枠部１６４が、カード用コネクタ１におけるスライド溝部１２と反対側の側壁部１１ｄに当接していれば、カード用トレイ１６０がカード用コネクタ１の幅方向にがたつくことも防止される。
【００４８】
また、平面視において、回動ロック部材２５の先端部２５ａの軌跡は、図４（ｂ）において点線Ｃで示されるように、支点部２５ｃを中心とする円弧であり、先端部２５ａが傾斜縁部１６７ａと当接する点で、傾斜縁部１６７ａの表面を表す直線である点線Ｆと交差することが望ましい。この場合、先端部２５ａと傾斜縁部１６７ａとが当接する位置よりもカード用コネクタ１の幅方向外側に位置し、カード用トレイ１６０の挿入方向に延在する直線をＤとすると、円弧を示す点線Ｃが直線Ｄと交差する角度α２は、傾斜縁部１６７ａの表面を表す点線Ｆが直線Ｄと交差する角度α１よりも大きい（なお、α２＜９０度、α１＜９０度である。）。つまり、傾斜縁部１６７ａがカード用トレイ１６０の挿入及び排出方向に対して傾斜する角度α１は、解除位置における先端部２５ａの軌跡のカード用トレイ１６０の挿入及び排出方向に対する角度α２よりも小さい。また、円弧を示す点線Ｃと点線Ｆとの二つの交点のうち、解除位置に近い方の交点が、傾斜縁部１６７ａの表面上にあることが望ましい。したがって、先端部２５ａと傾斜縁部１６７ａとが当接する位置よりもカード用コネクタ１の幅方向外側の範囲では、図５（ｂ）に示されるように、先端部２５ａは傾斜縁部１６７ａから離間しており、かつ、先端部２５ａと傾斜縁部１６７ａとが当接する位置に近付くにつれて、先端部２５ａは傾斜縁部１６７ａに接近していくようになっている。
【００４９】
そして、カード用コネクタ１からカード用トレイ１６０を排出する場合、ユーザは、手指等によって、操作補助部材１８１を把持し、該操作補助部材１８１の姿勢及び位置を、操作補助部材１８１の先端１８１ａが前方を向いてフランジ板１６３の操作用挿入孔１６３ａの真後ろに位置するようにする。
【００５０】
続いて、ユーザは、操作補助部材１８１を前進させ、図３（ａ）に示されるように、先端１８１ａを、操作用挿入孔１６３ａを通して、プッシュロッド２２の後端部に取付けられた回動ロック部材２５の受圧部材２５ｂに当接させる。そして、ユーザが操作補助部材１８１を押込むと、前記受圧部材２５ｂがカード用トレイ１６０の挿入方向に押され、前記回動ロック部材２５は、付勢部材２４の付勢力に抗して、支点部２５ｃを中心として時計回り方向に回動する。すると、図３（ｂ）に示されるように、回動ロック部材２５の先端部２５ａがハウジング１１の幅方向外側に向けて変位し、前記回動ロック部材２５が解除位置に位置し、係止凸部１６７ｃの係止が解除される。
【００５１】
前述のように、前記先端部２５ａの軌跡が図４（ｂ）において点線Ｃで示されるような円弧であるとすると、先端部２５ａと傾斜縁部１６７ａとが当接する位置よりもカード用コネクタ１の幅方向外側の範囲では、先端部２５ａが傾斜縁部１６７ａから離間するので、回動ロック部材２５は、時計回り方向にスムーズに回動することができ、被係止部１６７の係止は、スムーズに解除される。
【００５２】
続いて、ユーザが操作補助部材１８１を更に前進させると、回動ロック部材２５は、そのハウジング１１の幅方向外側の側面が外側リミッタ２２ｄに当接し、回動不能となっているので、図３（ｃ）に示されるように、プッシュロッド２２が前進させられる。すると、該プッシュロッド２２の係合部２２ｂと係合するイジェクトレバー２１の力点部２１ｂが前方に変位するので、イジェクトレバー２１の作用点部２１ａによって前枠部１６５ａが押されて、カード用トレイ１６０は、所定位置から後方に向けて変位する。
【００５３】
これにより、カード用トレイ１６０のフランジ板１６３は、外部部材９５の挿入開口９５ａから十分に大きく後方へ突出した状態となる。したがって、ユーザは、手指等によってフランジ板１６３を把持することにより、カード用トレイ１６０をカード用コネクタ１から引出して排出させることができる。なお、ユーザが操作補助部材１８１を後退させると、付勢部材２４の付勢力によって回動ロック部材２５が反時計回り方向に回動し、図３（ｄ）に示されるように、先端部２５ａがカード用トレイ１６０の側枠部１６４の側面に当接する。しかし、側枠部１６４における被係止部１６７よりも前方の範囲には、凹凸が形成されていないので、前記先端部２５ａが側枠部１６４に引掛かることはなく、カード用トレイ１６０は、スムーズに後方に向けて変位することができる。最終的に、ユーザは、カード用トレイ１６０全体をカード用コネクタ１から引出し、更に、電子機器の筐体の一部である外部部材９５の外側にまで引出すことができる。
【００５４】
次に、前記カード用コネクタ１にカード用トレイ１６０を挿入する動作について説明する。
【００５５】
まず、ユーザは、手指等によってカード用トレイ１６０を把持し、該カード用トレイ１６０を外部部材９５の挿入開口９５ａの後方に位置させた後、カード用トレイ１６０を前記挿入開口９５ａに相対的に接近させ、該挿入開口９５ａを通して、カード用コネクタ１内に挿入する。
【００５６】
続いて、カード用トレイ１６０を前進させ、カード用コネクタ１内の所定位置に到達させると、カード用トレイ１６０のカード用コネクタ１への挿入が完了する。この際、イジェクトレバー２１の作用点部２１ａが前枠部１６５ａに押されて前方に変位すると、イジェクトレバー２１の力点部２１ｂと係合するプッシュロッド２２の係合部２２ｂが後方に変位し、これにより、前記プッシュロッド２２は、図３（ｂ）に示されるような位置に到達する。すると、回動ロック部材２５は、付勢部材２４の付勢力によって、図３（ｂ）において、支点部２５ｃを中心として反時計回り方向に回動する。すると、回動ロック部材２５の先端部２５ａがハウジング１１の幅方向内側に向けて変位し、図３（ａ）に示されるように、被係止部１６７を係止する。
【００５７】
前述のように、前記先端部２５ａの軌跡が図４（ｂ）において点線Ｃで示されるような円弧であるとすると、先端部２５ａと傾斜縁部１６７ａとが当接する位置よりもカード用コネクタ１の幅方向外側の範囲では、先端部２５ａが傾斜縁部１６７ａから離間しているので、回動ロック部材２５は、反時計回り方向にスムーズに回動することができ、被係止部１６７をスムーズに係止することができる。また、前記回動ロック部材２５は、先端部２５ａが傾斜縁部１６７ａに当接すると、回動を停止する。これにより、カード用トレイ１６０がカード用コネクタ１内で安定的に保持される。
【００５８】
このように、本実施の形態において、カード用コネクタ１は、カード用トレイ１６０を挿入可能である。そして、カード用コネクタ１は、カード用トレイ１６０をカード用コネクタ１から排出させる排出機構と、カード用トレイ１６０の被係止部１６７を係止可能な回動ロック部材２５とを備え、回動ロック部材２５は、被係止部１６７を係止する係止位置と被係止部１６７との係止を解除する解除位置との間で、支点部２５ｃを中心として回動可能である。
【００５９】
これにより、カード用トレイ１６０は、ばね部材によって側方から押さえ付けられていなくても、カード用コネクタ１に確実に保持される。そして、カード用トレイ１６０をカード用コネクタ１から排出させる際には、カード用トレイ１６０を側方から押さえ付けるばね部材のばね力が作用していないので、カード用トレイ１６０をカード用コネクタ１から容易に排出することができる。したがって、カード用トレイ１６０の挿入及び排出の操作が容易で、かつ、高い信頼性を得ることができる。
【００６０】
また、排出機構は、カード用トレイ１６０の挿入及び排出方向にスライド可能なプッシュロッド２２を含み、回動ロック部材２５の支点部２５ｃは、プッシュロッド２２が備える回動受部２２ｅに回動可能に取付けられている。さらに、回動ロック部材２５は受圧部材２５ｂを含み、排出機構を作動させる操作補助部材１８１によって受圧部材２５ｂが押されると、回動ロック部材２５が係止位置から解除位置へ回動し、プッシュロッド２２がスライドする。したがって、被係止部１６７を係止してカード用トレイ１６０をロックするための構成が簡素化される。また、被係止部１６７の係止を解除してカード用トレイ１６０のロックを解除する動作と、カード用トレイ１６０をカード用コネクタ１から排出させる動作とが一体化されるので、カード用トレイ１６０をカード用コネクタ１から排出するための操作が容易になる。
【００６１】
さらに、回動ロック部材２５は、付勢部材２４によって係止位置に向けて付勢されている。したがって、カード用トレイ１６０をカード用コネクタ１に挿入すると、回動ロック部材２５が被係止部１６７を確実に係止する。
【００６２】
さらに、被係止部１６７は、カード用トレイ１６０の挿入及び排出方向と交差する方向に延在する傾斜縁部１６７ａを含み、回動ロック部材２５が係止位置に位置すると、回動ロック部材２５の先端部２５ａが傾斜縁部１６７ａと対向する。望ましくは、傾斜縁部１６７ａはカード用トレイ１６０の挿入及び排出方向に対して傾斜する方向に延在し、回動ロック部材２５の先端部２５ａの円弧状の軌跡は傾斜縁部１６７ａと交差する。したがって、回動ロック部材２５が係止位置にあると、その先端部２５ａが傾斜縁部１６７ａに当接するので、カード用トレイ１６０は、カード用コネクタ１内でがたつくことがなく、安定的に保持される。
【００６３】
さらに、望ましくは、傾斜縁部１６７ａがカード用トレイ１６０の挿入及び排出方向に対して傾斜する角度α１は、解除位置における回動ロック部材２５の先端部２５ａの軌跡のカード用トレイ１６０の挿入及び排出方向に対する角度α２よりも小さい。これにより、回動ロック部材２５は、係止位置と解除位置との間で、スムーズに回動することができ、被係止部１６７をスムーズに係止することができる。
【００６４】
次に、第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００６５】
図６は第２の実施の形態におけるカード用コネクタのカード用トレイを収容した状態を示す平面図である。
【００６６】
図に示されるように、本実施の形態におけるカード用コネクタ１は、モジュール排出機構付勢部材としてのリターンスプリング２７を備える。図に示される例において、該リターンスプリング２７は、圧縮コイルばねであり、ハウジング１１のスライド溝部１２内において、該スライド溝部１２の奥壁部１２ｂとプッシュロッド２２の前端との間に配設され、カード用トレイ１６０の排出方向にプッシュロッド２２を付勢する。したがって、カード用トレイ１６０がカード用コネクタ１から排出され、該カード用コネクタ１が空になった状態でも、プッシュロッド２２及びカード用コネクタ１を含むモジュール排出機構は、常に、図６に示されるような位置、すなわち、初期位置に保持される。
【００６７】
このように、本実施の形態において、カード用コネクタ１は、プッシュロッド２２をカード用トレイ１６０の排出方向に付勢し、カードモジュール１０２の排出機構を初期位置に保持するリターンスプリング２７を備える。したがって、カード用コネクタ１が空になった状態であっても、プッシュロッド２２やカード用コネクタ１が動いてしまうことがなく、プッシュロッド２２やカード用コネクタ１が動くことによって発生する異音を防止することができる。
【００６８】
なお、その他の点の効果については、前記第１の実施の形態と同様であるので、その説明を省略する。また、本実施の形態におけるカード用コネクタ１のその他の点の構成及びカード用トレイ１６０の構成並びにカード用コネクタ１及びカード用トレイ１６０の動作については、前記第１の実施の形態と同様であるので、説明を省略する。
【００６９】
次に、第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００７０】
図７は第３の実施の形態におけるカード用コネクタにカード用トレイを挿入した状態を示す図、図８は第３の実施の形態におけるカード用コネクタ及びカード用トレイを示す分解図、図９は第３の実施の形態におけるプッシュロッドの構成を説明する図である。なお、図７において、（ａ）は斜視図、（ｂ）は平面図であり、図９において、（ａ）はカード用トレイを挿入したカード用コネクタの側面図、（ｂ）は（ａ）におけるＢ−Ｂ矢視断面図である。
【００７１】
図８に示されるように、本実施の形態におけるカード用コネクタ１は、導電性の金属から成る板材に打抜き、折曲げ等の加工を施すことによって一体的に成形され、ハウジング１１の上側に取付けられたカバー部材としてのシェル６１を有する。該シェル６１は、概略矩形の天板部６２と、該天板部６２の側縁から立設する側板部６３とを備え、ハウジング１１及びカード用コネクタ１に挿入されたカード用トレイ１６０の少なくとも一部の上方を覆うようになっている。前記側板部６３には、複数の係止開口６３ａが形成され、シェル６１をハウジング１１の上側に取付けると、該ハウジング１１の外壁部１１ｅの外側面に形成された係止突起１３に前記係止開口６３ａが係止され、これにより、シェル６１がハウジング１１に固定される。そして、ハウジング１１とシェル６１との間に形成されるカード収容空間内にカード用トレイ１６０が挿入される。なお、図７及び９においては、説明の都合上、シェル６１の図示が省略されている。
【００７２】
また、ハウジング１１は、金属から成る板材に打抜き、折曲げ等の加工を施して一体的に形成された端子としての複数の第１端子５１−１及び第２端子５１−２を含み、前記第１端子５１−１及び第２端子５１−２の周囲の少なくとも一部を被覆して一体化するように、インサート成形乃至オーバーモールド成形と称される成形方法によって成形された絶縁性の樹脂から成る樹脂部材を含む概略平板状の部材である。ここで、前記底壁部１１ｂは、第１端子５１−１及び第２端子５１−２の露出部を収容して保持する複数の第１端子保持凹部１１ｋ−１及び第２端子保持凹部１１ｋ−２を備える。該第１端子保持凹部１１ｋ−１及び第２端子保持凹部１１ｋ−２は、底壁部１１ｂを板厚方向に貫通する開口である。また、前記底壁部１１ｂは、該底壁部１１ｂを板厚方向に貫通する開口としての第１はんだ付部保持凹部１１ｈ−１及び第２はんだ付部保持凹部１１ｈ−２を備える。
【００７３】
そして、第１端子５１−１及び第２端子５１−２は、ハウジング１１の前後方向に延在する列を成すように、並んで配設されている。図に示される例では、３つずつ、２列に並ぶように配設されている。前記第１端子５１−１及び第２端子５１−２の各々は、少なくとも一部が底壁部１１ｂに埋込まれ、また、少なくとも接触部５１ｃ１及び５１ｃ２が第１端子保持凹部１１ｋ−１及び第２端子保持凹部１１ｋ−２内に露出し、はんだ付部としてのソルダーテール部５１ｄ１及び５１ｄ２が第１はんだ付部保持凹部１１ｈ−１及び第２はんだ付部保持凹部１１ｈ−２内に露出する。
【００７４】
前記接触部５１ｃ１及び５１ｃ２は、第１端子５１−１及び第２端子５１−２の腕部が備えるばね性によって上方に向けて付勢され、カード用コネクタ１内に保持されたカード用トレイ１６０の第１空間部１６６ａ及び第２空間部１６６ｂに収容されたナノＳＩＭカードの下面に露出する端子部材としての電極パッドの各々に接触する。また、前記ソルダーテール部５１ｄ１及び５１ｄ２は、図示されない基板に形成された信号線、コンタクトパッド、端子等に、はんだ付等によって電気的に接続される。
【００７５】
本実施の形態において、プッシュロッド２２は、１枚の金属板に打抜き加工及び折曲げ加工を施して製造された部材であり、概略直線的な棒状又は帯板状の外形を有する中空の細長い角筒状部材である。なお、角筒の４つの側壁の各々は、図に示される例のように、一部分が欠落していてもよい。
【００７６】
また、本実施の形態において、回動ロック部材２５の支点部２５ｃは、回動ロック部材２５から突出する軸であり、プッシュロッド２２の後端部に形成された回動受部２２ｅは、プッシュロッド２２の側壁を板厚方向に貫通する貫通孔である。
【００７７】
さらに、本実施の形態において、付勢部材２４は、図９（ｂ）に示されるように、プッシュロッド２２を構成する角筒の１つの側壁の一部分と一体的に形成された板ばねであり、カード用トレイ１６０の挿入方向に延在する本体部２４ａと、該本体部２４ａに対してわずかに傾斜するように曲げられ、カード用トレイ１６０の排出方向に延在するカンチレバー状の作用部２４ｂとを備える。そして、該作用部２４ｂの先端が回動ロック部材２５のハウジング１１の幅方向外側の側面を押圧することによって、回動ロック部材２５が付勢される。また、図に示される例のように、作用部２４ｂの長さ、すなわち、ばね長を長くすることができるので、付勢力を増大させることができるとともに、回動ロック部材２５の回動範囲が広くても、安定した付勢力を回動ロック部材２５に付与することができる。したがって、カード用トレイ１６０は、カード用コネクタ１内で安定的に保持される。
【００７８】
このように、本実施の形態において、プッシュロッド２２は、１枚の金属板から成る部材であり、付勢部材２４が一体化されている。したがって、プッシュロッド２２の強度が高く、構成が簡素であり、小型化が可能であり、信頼性を向上させることができる。
【００７９】
なお、その他の点の効果については、前記第１の実施の形態と同様であるので、その説明を省略する。また、本実施の形態におけるカード用コネクタ１のその他の点の構成及びカード用トレイ１６０の構成並びにカード用コネクタ１及びカード用トレイ１６０の動作については、前記第１の実施の形態と同様であるので、説明を省略する。
【００８０】
さらに、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００８１】
本開示は、カード用コネクタに適用することができる。
【符号の説明】
【００８２】
１    カード用コネクタ
１１、８１１    ハウジング
１１ａ、１２ｂ    奥壁部
１１ｂ    底壁部
１１ｃ    支軸
１１ｄ    側壁部
１１ｅ    外壁部
１１ｈ−１    第１はんだ付部保持凹部
１１ｈ−２    第２はんだ付部保持凹部
１１ｋ−１    第１端子保持凹部
１１ｋ−２    第２端子保持凹部
１１ｒ    後端部
１２    スライド溝部
１２ａ    ガイド凸部
１３    係止突起
２１    イジェクトレバー
２１ａ    作用点部
２１ｂ    力点部
２１ｃ、２５ｃ    支点部
２２    プッシュロッド
２２ａ    内側リミッタ
２２ｂ    係合部
２２ｃ    ガイド凹部
２２ｄ    外側リミッタ
２２ｅ    回動受部
２４    付勢部材
２４ａ    本体部
２４ｂ    作用部
２５    回動ロック部材
２５ａ、１６１ｆ    先端部
２５ｂ    受圧部材
２７    リターンスプリング
５１−１    第１端子
５１−２    第２端子
５１ｃ１、５１ｃ２    接触部
５１ｄ１、５１ｄ２    ソルダーテール部
６１、８６１    シェル
６２    天板部
６３    側板部
６３ａ    係止開口
９５    外部部材
９５ａ    挿入開口
１０２    カードモジュール
１６０、９６１    カード用トレイ
１６１    枠部
１６３    フランジ板
１６３ａ    操作用挿入孔
１６４    側枠部
１６５    横枠部
１６５ａ    前枠部
１６５ｂ    中枠部
１６５ｃ    後枠部
１６６    空間部
１６６ａ    第１空間部
１６６ｂ    第２空間部
１６７    被係止部
１６７ａ    傾斜縁部
１６７ｂ    係止凹部
１６７ｃ    係止凸部
１８１    操作補助部材
１８１ａ    先端
８１８    挿入口
８７５    ロック部
９０１    カード
９６３    フランジ部
９６３ａ    貫通孔
９６８    切欠部
【図１】
0006636353.tif 000002
【図２】
0006636353.tif 000003
【図３】
0006636353.tif 000004
【図４】
0006636353.tif 000005
【図５】
0006636353.tif 000006
【図６】
0006636353.tif 000007
【図７】
0006636353.tif 000008
【図８】
0006636353.tif 000009
【図９】
0006636353.tif 000010
【図１０】
0006636353.tif 000011